(57)【要約】【課題】カバー内面の温度分布を均一化して、利用者に均一に遠赤外線を照射することができる。【解決手段】入れ子式の略半円筒形カバー３１、３２の内面に帯状ヒーター４を設け、カバー３１、３２内で帯状ヒーター４の加熱により遠赤外線を照射する温熱健康器１において、全面で略均一に発熱する帯状ヒーター４を、カバー３１、３２の軸方向へ延ばし、且つ周方向に間隔を開けて複数配設すると共に、カバー３１、３２の下端近傍の帯状ヒーター４から頂部近傍の帯状ヒーター４に向かって、配設する各帯状ヒーター４の電気抵抗値を漸次増加し、各帯状ヒーター４を並列接続して電圧を印加する。【選択図】図２
2006061367.tif 000002
【特許請求の範囲】
【請求項１】
入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、該配設する各帯状ヒーターの電気抵抗値を漸次増加し、該各帯状ヒーターを並列接続して電圧を印加することを特徴とする温熱健康器。
【請求項２】
入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、各帯状ヒーター間の配設間隔を漸次増加することを特徴とする温熱健康器。
【請求項３】
入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、配設する各帯状ヒーターの幅を漸次減少することを特徴とする温熱健康器。
【請求項４】
入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、配設する各帯状ヒーターの幅を漸次減少し、各帯状ヒーター間の配設間隔を漸次増加することを特徴とする温熱健康器。
【発明の詳細な説明】
【技術分野】
【０００１】
本発明は、入れ子式カバー内の略密閉空間で利用者に遠赤外線を照射し、利用者の発汗・血行・新陳代謝を促進して健康増進を図る温熱健康器に係り、特に利用者に照射する遠赤外線の均一化を図る温熱健康器に関する。
【背景技術】
【０００２】
従来、入れ子式カバー内の略密閉空間で利用者に遠赤外線を照射し、利用者の発汗・血行・新陳代謝を促進して健康増進を図る温熱健康器が知られている。かかる温熱健康器では、その有効性を高めるため、入れ子式カバー内の利用者に均一に遠赤外線を照射することが重要である。そして、遠赤外線照射の均一性を高める技術として特許文献１の温熱健康器があり、前記温熱健康器は、入れ子式の半円筒形カバーの内面に沿ってコードヒーターと遠赤外線放射層を設け、カバーの下部から頂部近傍に向かうに従ってコードヒーターの配設密度を漸次減少し、カバー内面の温度分布を均一化して、遠赤外線以外の波長の赤外線を放射することを防止し、利用者に均一に遠赤外線を照射するものである。
【０００３】
【特許文献１】特開２００３−１１５３６３号公報
【発明の開示】
【発明が解決しようとする課題】
【０００４】
ところで、特許文献１は線状のコードヒーターの配設密度を変化し、遠赤外線の均一照射を実現するものであるが、技術の豊富化の観点から、別の構成でカバーの内面の温度分布を均一化し、温熱健康器の利用者に遠赤外線を均一照射することができる技術が求められる。
【０００５】
本発明は上記課題に鑑み提案するものであって、カバー内面の温度分布を均一化して、遠赤外線以外の波長の赤外線を放射することを防止すると共に、利用者に均一に遠赤外線を照射することができ、更には技術の豊富化に資する温熱健康器を提供することを目的とする。
【課題を解決するための手段】
【０００６】
本発明の温熱健康器は、入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、該配設する各帯状ヒーターの電気抵抗値を漸次増加し、該各帯状ヒーターを並列接続して電圧を印加することを特徴とする。例えば同一幅の各帯状ヒーターを周方向に同一間隔を開けて複数配設し、並列接続で各帯状ヒーターに同一電圧を印加し、頂部に近い帯状ヒーターほど流れる電流を減らすことにより、頂部に近付くに従って帯状ヒーターによる発熱量が抑制される。
【０００７】
また、本発明の温熱健康器は、入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、各帯状ヒーター間の配設間隔を漸次増加することを特徴とする。例えば各帯状ヒーターの抵抗値と帯幅を同一にし、各帯状ヒーター間の配設間隔を頂部に近い帯状ヒーター間ほど拡げることにより、頂部に近付くに従って帯状ヒーターによる発熱量が抑制される。前記構成では、各帯状ヒーターを並列接続して電圧を印加する構成、或いは直列接続して電圧を印加する構成とすることが可能である。
【０００８】
また、本発明の温熱健康器は、入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、配設する各帯状ヒーターの幅を漸次減少することを特徴とする。例えば各帯状ヒーターの抵抗値を全て同一とし、或いは単位体積当たりの発熱量を同一とし、帯状ヒーターの帯幅を頂部に近い帯状ヒーターほど減少していき、カバー内の加温に実質的に用いられる熱を減らすことにより、頂部に近付くに従って帯状ヒーターによる発熱量が抑制される。前記構成では、各帯状ヒーターを並列接続して電圧を印加する構成、或いは直列接続して電圧を印加する構成とすることが可能である。
【０００９】
また、本発明の温熱健康器は、入れ子式の略半円筒形カバーの内面に帯状ヒーターを設け、該入れ子式カバー内で帯状ヒーターの加熱により遠赤外線を照射する温熱健康器において、全面で略均一に発熱する帯状ヒーターを、該略半円筒形カバーの軸方向へ延ばし、且つ周方向に間隔を開けて複数配設すると共に、該略半円筒形カバーの下端近傍の帯状ヒーターから頂部近傍の帯状ヒーターに向かって、配設する各帯状ヒーターの幅を漸次減少し、各帯状ヒーター間の配設間隔を漸次増加することを特徴とする。例えば各帯状ヒーターの抵抗値を全て同一とし、帯状ヒーターの帯幅を頂部に近い帯状ヒーターほど減少していき、カバー内の加温に実質的に用いられる熱を減らすと共に、各帯状ヒーター間の配設間隔を頂部に近い帯状ヒーター間ほど拡げることにより、頂部に近付くに従って帯状ヒーターによる発熱量が飛躍的に抑制される。前記構成では、各帯状ヒーターを並列接続して電圧を印加する構成、或いは直列接続して電圧を印加する構成とすることが可能である。
【発明の効果】
【００１０】
本発明の温熱健康器は、略半円筒形カバーの左右下端近傍の帯状ヒーターによるカバー内の加熱を大きく、略半円筒形カバーの頂部近傍の帯状ヒーターによるカバー内の加熱を小さく、下端近傍から頂部近傍にかけて順次設けられている帯状ヒーターによるカバー内の加熱を漸次小さくしていくことができ、高温気体の上昇や左右下端への対流が生ずる略半円筒形カバー内で、略半円筒形カバーの内面の全面に亘って温度差を僅少化して温度分布を略一定にすることができる。従って、遠赤外線以外の波長の赤外線を放射することを防止し、略半円筒形カバーの焦点近傍に位置する利用者に遠赤外線を略均一に照射することが可能であり、例えば発汗、皮膚機能の活性化、新陳代謝の促進、体内の有害物質の排出等の効果を飛躍的に向上することができる。
【００１１】
また、略半円筒形カバーの内面の全面に亘って温度差を僅少化して、略半円筒形カバーの焦点近傍に横臥する利用者が接する雰囲気の温度分布の均質化を図ることができる。従って、雰囲気の局所的な高温化による利用者の不快感を無くすことが可能となり、利用者は温熱健康器を快適に長時間利用することができる。
【発明を実施するための最良の形態】
【００１２】
以下、本発明の温熱健康器の実施形態について説明する。尚、実施形態や変形例等の構成を適宜他の例等の構成に追加し、或いは変更し、或いは部分的な作用効果を奏する限度で削除したものも本発明に含まれる。
【００１３】
本実施形態の温熱健康器１は、図１に示すように、遠赤外線を反射するシート２上に、半円筒形の前部カバー３１と半円筒形で前部カバー３１より径が小さい後部カバー３２が設けられる。前部カバー３１と後部カバー３２は入れ子式に軸方向へ移動可能になっており、伸長状態では前部カバー３１の略後端が後部カバー３２の略上端の外側に重ねて配置され、収縮状態では前部カバー３１の略全体が後部カバー３２の略全体の外側に重ねて配置される。前部カバー３１及び後部カバー３２には後述する帯状ヒーター４がそれぞれ内設されており、帯状ヒーター４は、後述する電極線６１、電源入力部６２、コードを介して制御器に接続され（図示せず）、更に、前記制御器はコードを介して電源に接続され、前記制御器の制御で電源が供給されることにより、前部カバー３１と後部カバー３２の帯状ヒーター４にそれぞれ電圧が印加され電流が流れるようになっている。
【００１４】
前部カバー３１の前端の開口部分には利用者の首周りを閉じるネックカバー３１１が取り付けられていると共に、前部カバー３１の後端には後部カバー３２との間に形成される隙間を閉じる突出部３１２が設けられ、又、後部カバー３２は有底でその後端面は閉じられている。そして、重なった状態の前部カバー３１及び後部カバー３２内に利用者が脚など下半身を入れて横臥した際に、前部カバー３１を前方に移動して伸長し、ネックカバー３１１で首周りを閉じることにより、伸長状態の前部カバー３１及び後部カバー３２の内部空間が略密閉されるようになっている。
【００１５】
前部カバー３１の内面と後部カバー３２の内面のそれぞれには、導電発熱体で遠赤外線を放射するグラフトカーボン帯等の帯状ヒーター４が略全面に亘って内設されている。図２はカバー３１、３２の内面を展開した状態の帯状ヒーター４の配置を示しており、図示の中央位置はカバー３１、３２の中心頂部の位置に対応し、左右端はカバー３１、３２の両下端の位置に対応している。図２に示すように、各帯状ヒーター４はそれぞれ同一幅で同一長さであり、それぞれが前部カバー３１、後部カバー３２の軸方向へ延設されていると共に、帯状ヒーター４は、前部カバー３１、後部カバー３２の周方向に等間隔を開けて複数配設され、帯状ヒーター４・４間には幅狭の絶縁線等の絶縁体５が配設されている。
【００１６】
各帯状ヒーター４は、カバー３１、３２の周方向へ延設され電源入力部６２から電圧が供給される一対の電極線６１・６１間に、それぞれ設けられており、その両端が電極線６１・６１にそれぞれ接続されている。即ち、等間隔で複数配設されている各帯状ヒーター４は、電極線６１・６１に並列接続され、電源入力部６２から供給される同一電圧が印加されるようになっている。
【００１７】
そして、等間隔で複数配設されている帯状ヒーター４は、カバー３１、３２の中心頂部（図２のヒーター領域の中央）の位置の帯状ヒーター４或いはその位置に最も近い帯状ヒーター４で抵抗値が最大、カバー３１、３２の下端（図２のヒーター領域の左端又は右端）の位置の帯状ヒーター４或いはその位置に最も近い帯状ヒーター４で抵抗値が最小になっており、カバー３１、３２の下端から中心頂部に向かって、中心頂部に近い位置に設けられる帯状ヒーター４ほど徐々に抵抗値が大きくなるようになっている。
【００１８】
従って、各帯状ヒーター４に電極線６１・６１で同一電圧が印加された際に、カバー３１、３２の中心頂部に近い帯状ヒーター４ほど電流量が小さく、発熱量が小さくなり、カバー３１、３２の下端に近い帯状ヒーター４ほど電流量が大きく、発熱量が大きくなり、カバー３１、３２内の頂部近傍は、小さい加熱としつつ高温空気の上昇で加温され、その下部近傍は、大きい加熱としつつ温度の低い空気が対流して冷却されるので、カバー３１、３２の内面の温度分布が均一化される。
【００１９】
次に、本発明の温熱健康器の変形例について説明する。例えば温熱健康器１に於いて、図３に示すように、帯幅と抵抗値が同一の各帯状ヒーター４を周方向に間隔を開けて配設し、各帯状ヒーター４を電極線６１・６１間に並列接続すると共に、カバー３１、３２の下端から頂部へ向かって帯状ヒーター４・４相互間の配設間隔を漸次拡げる、即ち、頂部に近い帯状ヒーター４・４相互間の配設間隔ほど広く、下部に近い帯状ヒーター４・４相互間の配設間隔ほど狭くし、頂部に近いほど帯状ヒーター４による発熱領域が小さくなるようにし、カバー３１、３２の内面の温度分布を均一化するようにしてもよい。尚、帯状ヒーター４・４間の配設間隔の領域には絶縁部材による絶縁体５を設ける。
【００２０】
また、別の変形例として、図４に示すように、抵抗値が同一の各帯状ヒーター４を周方向に等間隔を開けて配設し、各帯状ヒーター４を電極線６１・６１間に並列接続すると共に、カバー３１、３２の下端に近い帯状ヒーター４ほど帯幅を広くし、カバー３１、３２の頂部に近い帯状ヒーター４ほど帯幅を狭くし、カバー３１、３２の頂部に近い帯状ヒーター４ほど、カバー３１、３２内の加温に実質的に用いられる有効な発熱を減らし、カバー３１、３２の内面の温度分布を均一化するようにしてもよい。
【００２１】
また、別の変形例として、図３と図４の構成を合わせたものとし、抵抗値が同一の各帯状ヒーター４を周方向に間隔を開けて配設し、各帯状ヒーター４を電極線６１・６１間に並列接続すると共に、カバー３１、３２の下端に近い帯状ヒーター４ほど帯幅を広くし、カバー３１、３２の頂部に近い帯状ヒーター４ほど帯幅を狭くし、更に、下部に近い帯状ヒーター４・４相互間の配設間隔ほど狭く、頂部に近い帯状ヒーター４・４相互間の配設間隔ほど広くし、カバー３１、３２内面の温度分布のより一層の均一化を図るようにしてもよい。
【００２２】
また、別の変形例として、周方向に間隔を開けて配設する各帯状ヒーター４を直列接続し、カバー３１、３２の下端に近い帯状ヒーター４ほど帯幅を広くし、カバー３１、３２の頂部に近い帯状ヒーター４ほど帯幅を狭くする構成、或いは下部に近い帯状ヒーター４・４相互間の配設間隔ほど狭く、頂部に近い帯状ヒーター４・４相互間の配設間隔ほど広くする構成、或いはカバー３１、３２の下端に近い帯状ヒーター４ほど帯幅を広くし、カバー３１、３２の頂部に近い帯状ヒーター４ほど帯幅を狭くすると共に、下部に近い帯状ヒーター４・４相互間の配設間隔ほど狭く、頂部に近い帯状ヒーター４・４相互間の配設間隔ほど広くする構成とすることが可能である。前記直列接続は、例えば図５に示すように、各帯状ヒーター４・４の端部相互を前後交互に接続線６３で接続すると共に、左右端の各帯状ヒーター４に電極線６１で電圧を印加する構成等とする。尚、本発明には、前記直列接続の構成に、並列接続の上記実施形態や各変形例の構成を可能な範囲で適用したものも含まれる。
【産業上の利用可能性】
【００２３】
本発明は、入れ子式カバー内の略密閉空間で利用者に遠赤外線を照射し、利用者の発汗・血行・新陳代謝を促進する温熱健康器に利用することができる。
【図面の簡単な説明】
【００２４】
【図１】実施形態の温熱健康器で前部カバーを伸長した状態を示す縦断面図。
【図２】実施形態の温熱健康器で半円筒形カバーの内面を展開した状態に於ける帯状ヒーターの配置を示す説明図。
【図３】半円筒形カバーの内面を展開した状態に於ける変形例の帯状ヒーターの配置を示す説明図。
【図４】半円筒形カバーの内面を展開した状態に於ける他の変形例の帯状ヒーターの配置を示す説明図。
【図５】図３の帯状ヒーターの配置で直列接続する場合を示す説明図。
【符号の説明】
【００２５】
１  温熱健康器
２  反射シート
３１  前部カバー
３１１  ネックカバー
３２  後部カバー
３１２  突出部
４  帯状ヒーター
５  絶縁体
６１  電極線
６２  電源入力部
６３  接続線
【図１】
2006061367.tif 000003
【図２】
2006061367.tif 000004
【図３】
2006061367.tif 000005
【図４】
2006061367.tif 000006
【図５】
2006061367.tif 000007